(57)【要約】【課題】固定枠に正極導体と負極導体を挟持させた微小飛翔物除去装置は、さまざまな大きさの窓用の製品を提供するのは、容易ではなく、１つ１つを組み立てる必要があり、大量に生産するのに好適な構成とはいえなかった。【解決手段】導電層と、前記導電層上に設けられた絶縁樹脂層と、前記絶縁樹脂層上に設けられた電極層と、前記電極層上に設けられた半導電性樹脂層とで構成され、前記半導電性樹脂層から前記導電層まで貫通する空気通過部を有することを特徴とする除去部材は、シート部材を積層した積層部材で構成しているため、除去部材自体が可撓性を有し、取り付けの際の自由度が高くなり、また、シート部材で作製するため、一度に大量の製品を製造することができる。【選択図】図１
2015196114.tif 000002
【特許請求の範囲】
【請求項１】
複数のシート部材が積層された積層部材で構成され、
前記積層部材は空気通過部を有し、
前記シート部材は、導電層と、絶縁樹脂層と、電極層と、半導電性樹脂層を含み、
前記導電層は前記積層部材の一方の最端面に配置され、
前記導電層と前記電極層の間には少なくとも絶縁樹脂層が配置され、
前記電極層は前記積層部材の他方の最端面には存在しないことを特徴とする除去部材。
【請求項２】
前記半導電性樹脂層は、少なくとも一方の面を他の前記シート部材との間で溶着されることを特徴とする請求項１に記載された除去部材。
【請求項３】
前記電極層は、前記半導電性樹脂層と他の前記シート部材との間に封止されていることを特徴とする請求項１または２の何れかの請求項に記載された除去部材。
【請求項４】
前記他方の最端面にさらに保護層が積層されたことを特徴とする請求項１乃至３の何れか一の請求項に記載された除去部材。
【請求項５】
前記保護層にさらに第２導電層が積層されたことを特徴とする請求項１乃至４の何れか一の請求項に記載された除去部材。
【請求項６】
請求項１乃至５の何れかに記載された除去部材と、
前記導電層と前記電極層に接続される直流電源を有することを特徴とする微小飛翔物除去装置。
【請求項７】
前記導電層に前記直流電源の正極が接続され、前記電極層に前記直流電源の負極が接続されることを特徴とする請求項６に記載された微小飛翔物除去装置。
【請求項８】
前記導電層を接地することを特徴とする請求項７に記載された微小飛翔物除去装置。
【発明の詳細な説明】
【技術分野】
【０００１】
本発明は、ビルや家屋の換気設備に利用され、外気は取入可能であるが、花粉、細菌および蚊などの微小飛翔物は入り込めないようにする微小飛翔物除去装置と、それに用いられる除去部材に関する発明である。
【背景技術】
【０００２】
近年、マンションや家屋では、花粉、細菌、胞子等の病原体や蚊、蝿等の飛動生物の侵入防止の観点から密閉化が進んでいる。花粉はアレルゲンとなり得るし、細菌は疾病の原因となる。また飛動生物は、病原菌のキャリアとなるからである。花粉、細菌、胞子等の病原体や蚊、蝿等の飛動生物をあわせて「微小飛翔物」と呼ぶ。しかし、新鮮な空気の室内への導入や温度調節の観点からは、室内の空気を外気と入れ替える換気は必要である。つまり、マンションや家屋の密閉化には、換気の際に、外気を通過させ微小飛翔物を通過させない手段が必要となる。
【０００３】
このような目的にあう手段としては、フィルター式若しくは電気集塵式の空気清浄機が知られている。フィルター式は、設置が容易であるものの、微細な微小飛翔物の侵入を遮断するためには、細かなフィルターが必要となる。細かいフィルターは、空気の通過が困難であり、また目詰まりしやすいという課題がある。一方、電気集塵式の空気清浄機は、建屋の窓や戸口に静電界を発生させる電極を多数設け、クーロン力とグレーディエント力で、微小飛翔物を捕捉し、空気は通過させることができる。
【０００４】
特許文献１には、電気集塵式の空気清浄機が開示されている。図９を参照して、空気清浄機１００は、第１導体１０１と第２導体１０２と、挟持枠１０５と直流高電圧源１０６によって構成されている。第１導体１０１と第２導体１０２の間は空間ギャップ１０４が設けられており、挟持枠１０５によって固定されている。
【０００５】
第２導体１０２には直流高電圧源１０６の正極側が接続されるか、または接地されている。第１導体１０１には直流高電圧源１０６の負極側が接続されている。第１導体１０１は導体の周囲に導電性を高める剤が添加された誘電体物質が被覆されている。この構造によって、第１導体１０１と第２導体１０２の間に電界を発生させ、微小飛翔物を捕捉し、通過を阻止する。
【先行技術文献】
【特許文献】
【０００６】
【特許文献１】特開２０１０−２７９２７０号
【発明の概要】
【発明が解決しようとする課題】
【０００７】
特許文献１の電気集塵式の空気清浄機１００は、挟持枠１０５で大きさが決められてしまう。そのため、さまざまな大きさの窓用の製品を提供するのは、容易ではなかった。特に、少しだけ大きさが異なる場合でも、取り付けることはできなかった。また、１つ１つを組み立てる必要があり、大量に生産するのに好適な構成とはいえなかった。
【課題を解決するための手段】
【０００８】
本発明は上記の課題に鑑みて想到されたものであり、生産性が高く、特にサイズの調整が容易な除去部材およびそれを用いた微小飛翔物除去装置を提供するものである。
【０００９】
より具体的に本発明に係る除去部材は、
複数のシート部材が積層された積層部材で構成され、
前記積層部材は空気通過部を有し、
前記シート部材は、導電層と、絶縁樹脂層と、電極層と、半導電性樹脂層を含み、
前記導電層は前記積層部材の一方の最端面に配置され、
前記導電層と前記電極層の間には少なくとも絶縁樹脂層が配置され、
前記電極層は前記積層部材の他方の最端面には存在しないことを特徴とする。 
【００１０】
また、上記の除去部材を用いた微小飛翔物除去装置は、
上記に記載された除去部材と、
前記導電層と前記電極層に接続される直流電源を有することを特徴とする。
【発明の効果】
【００１１】
本発明に係る除去部材は、シート部材を積層することで構成している。そのため、除去部材自体が可撓性を有し、取り付けの際の自由度が高くなった。また、シート部材で作製するため、一度に大量の製品を製造することができる。
【図面の簡単な説明】
【００１２】
【図１】本発明の微小飛翔物除去装置の完成状態の斜視図である。
【図２】除去部材の積層の変更例を示す図である。
【図３】除去部材の組み立て図である。
【図４】空気通過部の大きさを説明する図である。
【図５】除去部材の他の実施形態の構成を示す図である。
【図６】図５の一部断面図を示す図である。
【図７】空気通過部が切欠き状の場合の除去部材を示す図である。
【図８】実施例に使用した除去部材の構成を示す図である。
【図９】従来の微小飛翔物除去装置（電気集塵式の空気清浄機）の例を示す図である。
【発明を実施するための形態】
【００１３】
以下に図を用いて、本発明を説明する。なお、以下の説明は本発明の実施形態の例示であり、本発明の趣旨の範囲内において変更することができる。
【００１４】
図１に本発明に係る除去部材を用いた微小飛翔物除去装置の斜視図を示す。本発明に係る微小飛翔物除去装置１は、除去部材２０と直流電源１０を有する。除去部材２０には、電極層端子２４ａと導電層端子２８ａが設けられる。電極層端子２４ａは直流電源１０の負極１０ｂに連結され、導電層端子２８ａは、直流電源１０の正極１０ａに接続される。また、正極１０ａは接地されている。 
【００１５】
除去部材２０は、複数のシート部材を重ねて接着し、積層部材１８とした後、空気通過部３０を形成したものである。除去部材２０は、少なくとも半導電性樹脂層２２、電極層２４、絶縁樹脂層２６、導電層２８を含む。なお、図面においては、空気通過部３０が形成された除去部材２０を積層部材１８とも表示する場合がある。
【００１６】
半導電性樹脂層２２は、体積抵抗率（Ω・ｃｍ）および表面抵抗率（Ω／□）が共に１０７〜１０１０程度の物質である。半導電性樹脂は、ＰＶＣ（Ｐｏｌｙｖｉｎｙｌ  Ｃｈｌｏｒｉｄｅ：塩化ビニル）、ＰＰ（Ｐｏｌｙｐｒｏｐｙｌｅｎｅ：ポリプロピレン）、ＰＥ（Ｐｏｌｙｅｔｈｙｌｅｎｅ：ポリエチレン）、ＰＣ（Ｐｏｌｙｃａｒｂｏｎａｔｅ：ポリカーボネート）、ＰＥＴ（Ｐｏｌｙｅｔｈｙｌｅｎｅ  Ｔｅｒｅｐｈｔｈａｌａｔｅ：ポリエチレンテレフタレート）等にカーボンブラック、難燃剤、可塑剤、界面活性剤などを添加することで得ることができる。
【００１７】
電極層２４は、体積抵抗率１０４以下のシートである。例えばカーボン膜、銅（Ｃｕ）、アルミニウム（Ａｌ）、すず（Ｓｎ）、ステンレス（ＳＵＳ）などの金属箔が好適に利用することができる。
【００１８】
絶縁樹脂層２６は、体積抵抗率（Ω・ｃｍ）および表面抵抗率（Ω／□）とも１０１６以上である。これには、ＰＭＭＡ（Ｐｏｌｙ  Ｍｅｔｈｙｌ  Ｍｅｔｈａｃｒｙｌａｔｅ：ポリメタクリル酸メチル樹脂）、ＰＰ、ＰＥＴ、ＥＶＡ（Ｅｔｈｙｌｅｎｅ−Ｖｉｎｙｌ  Ａｃｅｔａｔｅ：エチレンビニルアセテート）、ＰＣといった樹脂が好適に利用することができる。
【００１９】
導電層２８は、体積抵抗率が１０１以下の材料である。これにはＡｌ、ＳＵＳ、Ｃｕ、亜鉛（Ｚｎ）などのテープや蒸着、スパッタ膜などが好適に利用することができる。
【００２０】
これらのシート部材は、数μｍから数ｍｍまでの厚みのシート部材として形成し、それぞれを張り合わせる。張り合わせは、溶着や接着剤による接着が好適に利用できる。また、厚さが薄い場合は、他の層の上に印刷や成膜法によって形成してもよい。また、シート部材は、連続した１枚の膜でなくてもよい。つまり、部分的に貫通孔や切欠きがあってもよい。なお、導電層２８と電極層２４は、電極端子となる突出部が設けられていてもよい。それぞれ導電層端子２８ａと電極層端子２４ａである。
【００２１】
シート部材の張り合わせ順は、以下の条件に従う。
（１）導電層２８は、積層部材１８の両面の内少なくとも一方の最端面に配置する。なお、導電層２８は主としてコールド側（接地側）として利用する。導電層２８が全面に露出することで、微小飛翔物の忌避効果が高まる。
【００２２】
（２）導電層２８と電極層２４の間には、少なくとも絶縁樹脂層２６を挟む。導電層２８と電極層２４の間に直流電圧を印加するので、ショートを回避するためである。
（３）また、電極層２４は、積層部材１８の最端面には配置しない。電極層２４はホット側として使うため、露出させるとショートの危険があるからである。これらの条件を積層条件と呼ぶ。
【００２３】
上記の積層条件を満たす積層の形態を図２に例示する。（ａ）は導電層２８、絶縁樹脂層２６、電極層２４、半導電性樹脂層２２の順に積層した積層部材１８である。（ｂ）は、導電層２８、絶縁樹脂層２６、電極層２４、半導電性樹脂層２２、保護層３２の順に積層した積層部材１８である。このように、積層条件を満たしていれば、他の層が追加されてもよい。
【００２４】
（ｃ）は、導電層２８、絶縁樹脂層２６、半導電性樹脂層２２、電極層２４、保護層３２の順に積層した積層部材１８である。このように、電極層２４と導電層２８の間に絶縁樹脂層２６が配設されていれば、その他の層が追加されていてもよい。なお、保護層３２は絶縁樹脂層と考えてよい。
【００２５】
（ｄ）は、導電層２８、絶縁樹脂層２６、電極層２４、半導電性樹脂層２２、保護層３２、第２導電層３４の順に積層した積層部材１８である。コールド側として使う導電層は、積層部材１８の両方の最端面に配置されてもよい。積層部材１８の両側に導電層２８、３４が存在することで、どちらの側からも微小飛翔物の忌避効果が期待できる。なお、この場合でも、第２導電層３４と電極層２４の間には、絶縁樹脂層２６（保護層３２）が配置されている。
【００２６】
なお、これらの例からは、導電層２８（第２導電層３４）には必ず絶縁樹脂層２６（保護層３２）が配置されている。このことを積層条件に含めてもよい。また、電極層２４は必ず半導電性樹脂層２２に接して配置される。このようにすることで、電極層２４の面積が狭くても、除去部材２０の全面に電界の効果を及ぼすことができるからである。
【００２７】
また、導電層２８は、表面に導電面が露出する構成にするのが望ましい。ここで導電面とは、テスターで導電層２８の表面の抵抗値を測定すると、数Ω以下であることをいう。導電面を接地することで電荷が微小飛翔物を通じて流れるため、微小飛翔物は忌避する傾向が高いからである。
【００２８】
これらのシート部材が張り合わされた積層部材１８に、空気通過部３０を形成する。空気通過部３０は、除去部材２０が空気を通すために設ける。電極層２４と導電層２８との間で形成される電界によって、微小飛翔物は捕捉される。若しくは微小飛翔物が空気通過部３０を忌避する。したがって、微小飛翔物除去装置１は、微小飛翔物は通さず、空気だけを通すことができる。
【００２９】
図３に、形成された除去部材２０の分解図を示す。図３で示したのは、図２（ａ）に示した構成で、導電層２８、絶縁樹脂層２６、電極層２４、半導電性樹脂層２２の順に積層されている。
【００３０】
空気通過部３０の形状は、特に限定されるものではない。しかし、１つの空気通過部３０が大きすぎると、電極層２４と導電層２８との間で形成できる電界でカバーしきれなくなる。また、小さすぎると、空気が通過しにくくなる。
【００３１】
空気通過部３０は、積層部材１８に貫通孔若しくは、切欠きで形成することができる。また両方を組み合わせてもよい。貫通孔は周囲が全て積層部材１８に囲まれた孔である。切欠きは積層部材１８の周囲の一部を含む積層部材１８の一部分を取り去った箇所である。いずれの場合も空気通過部３０を形成した後の除去部材２０は一続きであり、複数の部分に分かれることはない。除去部材２０の一部をつかめば、除去部材２０の全部を持ち上げることができる。
【００３２】
ここで空気通過部３０の大きさとは、空気通過部３０内の点と空気通過部３０の縁Ｆまでの距離のうち最小のものをＬとし、空気通過部３０内の点のうち、最大のＬをいう。
【００３３】
図４を参照する。図４（ａ）には、積層部材１８に設けた空気通過部３０が、円（貫通孔）である場合を示す。円内の点Ｚについて、円周（縁）Ｆまでの距離のうち最小のものをその点のＬとする。円内の全ての点の内、Ｌが最も大きくなるのは、円の中心Ｏから円周Ｆまでの距離（半径）Ｒである。したがって、この場合空気通過部３０の大きさは円の半径Ｒである。
【００３４】
一方、空気通過部３０が長方形（貫通孔）の場合は、長辺に平行で短辺の中点同士を結んだ線上の点から長辺までの距離が空気通過部３０の大きさである。図４（ｂ）では、長方形の長辺ａに平行で短辺ｂの中線ｍから長辺ａまでの距離ｄである。
【００３５】
また、空気通過部３０が切欠きで形成されている場合は、取り去られた積層部材１８を貫通孔とみなして、上記のように求めることができる。図４（ｃ）には、図４（ｂ）の空気通過部３０がさらに積層部材１８の縁１８ｅまで延設された状態を示す。この場合は、積層部材１８の縁１８ｅと、空気通過部（切欠き）３０との交点Ｘ、Ｙを直線で結んだ線（二点鎖線で示した）を貫通孔の一辺と考え、図４（ｂ）の場合と同じに考えてよい。すなわち、空気通過部３０の大きさはｄである。
【００３６】
形成する空気通過部３０の大きさは、電極層２４と導電層２８との間に印加する直流電源１０の電圧にもよるが、数ｍｍ程度であるのが好適である。空気通過部３０の形成は、空気通過部３０と同形の内抜型を用いて積層部材１８を打ち抜くのが簡便である。空気通過部３０は、積層部材１８の切欠きでもよいので、内抜型を積層部材１８の縁１８ｅにかけて打ち抜けば切欠き状の空気通過部３０も容易に形成できる。
【００３７】
図５には、電極層２４が櫛形に形成されたものについて示す。導電層２８上に絶縁樹脂層２６が設けられ、絶縁樹脂層２６上に電極層２４が設けられ、電極層２４上に半導電性樹脂層２２が設けられるのは、図１、３の場合と同じである。しかし、図５では、電極層２４が櫛形に形成されている。空気通過部３０は、電極層２４の櫛の歯の間に形成される。
【００３８】
図６には、図５のＡ−Ａ断面を示す。電極層２４が櫛形で、全体として細く形成されているので、電極層２４は、半導電性樹脂層２２と絶縁樹脂層２６で封止される。したがって、空気通過部３０の内壁面３０ｉ（図６参照）に電極層２４は露出しない。
【００３９】
電極層２４は、導電性の高い金属材であるので、漏電やショート、経年酸化といった劣化による問題が生じる。しかし、図６に示すように半導電性樹脂層２２と絶縁樹脂層２６といった他の層との間に封止することで、上記のような経年劣化を防止することができる。
【００４０】
このように、電極層２４を半導電性樹脂層２２と絶縁樹脂層２６で封止する構成にする場合には、絶縁樹脂層２６のガラス転移点温度Ｔｇを半導電性樹脂層２２のガラス転移点温度Ｔｇより高くなるように設定するのが望ましい。そして、電極層２４を絶縁樹脂層２６上に形成しておく。
【００４１】
その後、電極層２４が形成された絶縁樹脂層２６と半導電性樹脂層２２を溶着（押し付けておいて温度を上げる）すれば、電極層２４の封止と、半導電性樹脂層２２の接着が同時にできる。最後に電極層２４の櫛の歯に当たる部分２４ｇ（図５参照）の間に空気通過部３０を形成する。このようにガラス転移点温度Ｔｇがより高い絶縁樹脂層２６上に電極層２４を形成しておくことで、電極層２４の変形を抑えることができ、空気通過部３０を形成しやすくする。
【００４２】
本発明に係る除去部材２０の空気通過部３０は、図４で示したように、積層部材１８に形成された貫通孔だけでなく、切欠きであってもよい。図７には、図５で示した空気通過部３０が切欠きになった場合の除去部材２０を半導電性樹脂層２２側から見た平面図を示す。櫛の歯状に形成された電極層２４の櫛の歯に当たる部分２４ｇを引出線２４ｈが配置された側と反対側の縁１８ｅｂで、空気通過部３０は開放されている。
【００４３】
空気通過部３０の大きさは、図４（ｃ）の場合と同様ｄである。また、微小飛翔物に対する捕捉・忌避効果も、図５の場合と同様に得ることができる。このような除去部材２０は電極層２４の櫛の歯に当たる部分２４ｇを引出線２４ｈが配置された側２０ｓで吊り下げることで、すだれ様の形態となるので、空気だけでなく、物品を通過させることもできる（図７（ｂ））。
【００４４】
本発明に係る除去部材２０は、シート部材を張り合わせ積層部材１８を作製し、所望の大きさに切りだし、空気通過部３０を設けるだけで作製することができるので、廉価でしかも生産性が高い。また、シート状に作製できるため、可撓性も高く、窓などへの取付も容易である。
【００４５】
なお、上記説明では、導電層端子２８ａと電極層端子２４ａをそれぞれ直流電源１０の負極１０ｂと正極１０ａに接続したが、本発明に係る微小飛翔物除去装置１では、直流電源の電極と除去部材２０の端子（電極層端子２４ａと導電層端子２８ａ）間の接続は図１に示した場合に限らない。つまり、導電層端子２８ａを負極１０ｂに接続し電極層端子２４ａを正極１０ａに接続してもよい。
【００４６】
また、端子の接地は、必ずしも必要ではない。あってもなくてもよい。ただし、接地を行う場合は、必ず導電層端子２８ａで行う。広く露出した導電層２８が接地されることで、電荷が微小飛翔物を通じて流れるため、微小飛翔物に対する忌避効果が高まるからである。また、第２導電層３４を有する場合は、第２導電層３４も接地してよい。
【実施例】
【００４７】
図８に実施例に用いた除去部材２０の構成を示す。導電層２８は厚さ０．１３ｍｍの糊付アルミテープである。大きさは、１００ｍｍ×４０ｍｍであった。絶縁樹脂層２６は厚さ０．１０ｍｍの糊付ＰＥＴ（ポリエチレンテレフタレート）を用いた。導電層２８の糊付アルミテープには、アルミテープの糊の部分と絶縁樹脂層２６の糊の付いていない部分で接着した。半導電性樹脂層２２は界面活性剤を混合し、体積抵抗率および表面抵抗率を共に１０８程度に調節した厚さ０．３ｍｍのＰＶＣシートを用いた。この半導電性樹脂層２２のＰＶＣ表面に、カーボンと樹脂で作製した導電性インクで櫛形に電極層２４を印刷形成した。
【００４８】
電極層２４は幅０．５ｍｍの櫛の歯に当たる部分２４ｇを５ｍｍ間隔でＰＶＣの長手方向に印刷した。他方の端に全ての櫛の歯に当たる部分２４ｇを連通する引出線２４ｈを印刷した。
【００４９】
その後電極層２４の櫛の歯に当たる部分２４ｇの間に幅を２ｍｍ、３ｍｍ、４ｍｍと変えながら、長さ３０ｍｍの貫通孔状の空気通過部３０を複数個形成し、除去部材２０のサンプルとした。図８には、空気通過部３０の幅が３ｍｍの場合の除去部材２０を例示した。なお、幅がそれぞれ２ｍｍ、３ｍｍ、４ｍｍの長方形の空気通過部３０は、大きさがそれぞれ１ｍｍ、１．５ｍｍ、２ｍｍの空気通過部３０である。
【００５０】
導電層２８に正極を接続かつ接地し、電極層２４に負極を接続し直流電圧を印加した状態で、スポイト内に吸引したタバココナジラミとショウジョウバエを空気通過部３０から３０ｍｍ離れた距離から吹き付けた。タバココナジラミは全長０．８ｍｍで胴回りがφ０．４ｍｍ程度の大きさの虫である。また、ショウジョウバエは全長５ｍｍ、胴回りがφ１．５ｍｍ程度の大きさの虫である。どちらも微小飛翔物と言ってよい。また、印加電圧は−０．５ｋＶ、−１．０ｋＶ、−１．５ｋＶ、−２．０ｋＶとした。なお、正極を接地しているので、印加電圧の値はマイナス表示となる。
【００５１】
また、微小飛翔物が空気通過部３０を通過してしまった場合は、忌避作用も捕捉効果もなかった（共にバツ「×」）と判断した。微小飛翔物が空気通過部３０を通過せず、空気通過部３０から離れていった場合は、忌避作用があった（マル「○」）と判断した。また、空気通過部３０の縁や空気通過部３０でない部分で微小飛翔物が捕捉され除去部材２０から離れられなくなった場合は、捕捉効果があった（マル「○」）と判断した。結果を表１〜表４に示す。
【００５２】
なお、表１および２には、タバココナジラミに対する忌避作用および捕捉効果の結果を示す。また表３および４にはショウジョウバエに対する忌避作用および捕捉効果の結果を示す。
【００５３】
【表１】
2015196114.tif 000003
【００５４】
【表２】
2015196114.tif 000004
【００５５】
【表３】
2015196114.tif 000005
【００５６】
【表４】
2015196114.tif 000006
【００５７】
表１、２および表３、４を参照して、微小飛翔物を捕捉することより、忌避させる効果の方が、より緩やかな条件でよいことがわかる。捕捉効果が発揮されなかった印加電圧であっても、忌避作用は発揮されるからである。
【００５８】
また、タバココナジラミの方がショウジョウバエよりも低い印加電圧でも忌避作用、捕捉効果も発揮される。これは、ショウジョウバエの方が、体積が大きいことに起因すると考えられる。
【００５９】
微小飛翔物除去装置１の目的は微小飛翔物を部屋内に入れないことであるので、捕捉できなくても、忌避できればよい。その観点から見れば、１．０ｋＶの印加電圧であっても、貫通孔幅が３ｍｍ以下、すなわち空気通過部３０の大きさが１．５ｍｍ以下であれば、ショウジョウバエの大きさの飛翔物でも室内への侵入を防止することができた。
【産業上の利用可能性】
【００６０】
本発明に係る微小飛翔物除去装置はビルや家屋といった建物内に外気を取り入れる換気口に好適に利用できる他、建物内部の空気を外部に送り出すファン付換気口にも好適に利用することができる。この際は、ファンが稼動している間は、電界を消しておき、ファンが停止する際に電界を発生させることで、外部から建物内部に微小飛翔物が侵入するのを防止することができる。また、オフィスビルなどの換気口にも利用することができる。
【符号の説明】
【００６１】
１  微小飛翔物除去装置
１０  直流電源
１０ａ  正極
１０ｂ  負極
１８  積層部材
１８ｅ、１８ｅｂ  縁
２０  除去部材
２２  半導電性樹脂層
２４  電極層
２４ａ  電極層端子
２４ｈ  引出線
２４ｇ  櫛の歯に当たる部分
２６  絶縁樹脂層
２８  導電層
２８ａ  導電層端子
３０  空気通過部
３０ｉ  内壁面
３２  保護層
３４  第２導電層
【図１】
2015196114.tif 000007
【図２】
2015196114.tif 000008
【図３】
2015196114.tif 000009
【図４】
2015196114.tif 000010
【図５】
2015196114.tif 000011
【図６】
2015196114.tif 000012
【図７】
2015196114.tif 000013
【図８】
2015196114.tif 000014
【図９】
2015196114.tif 000015